(57)【要約】【課題】  他人の携帯電話の呼び出し音と区別をつけ易くし、呼び出し音を利用者が自由に登録できるようにする。装置のコストダウンを図るとともに、センターからの呼び出し音のダウンロード時、設定音を確認したり、毎回変わるようにして期待する楽しみを得る。【解決手段】  マイクロフォンからの音声を記憶する手段と、記憶された音声を呼び出し音として再生する手段とを備え、マイクロフォンから入力した音声を記憶し、これを取り出して呼び出し音として使用する。入力した音声を圧縮して記憶することにより、メモリ容量を低減する。オーディオ機器とのインターフェイスを備えて、オーディオ機器の音声をそのまま呼び出し音として使用する。センター装置に登録された呼び出し音を手軽に利用する。【選択図】      図１
2005117698.tif 000002
【特許請求の範囲】
【請求項１】
相手側との間で無線電波を送受信する無線送受信部、利用者からの指示を処理部に伝達するキー制御部、呼び出し音等の鳴音や、発光素子等の制御を行う鳴音／発光部、および表示装置の制御を行う表示制御部を備えた携帯電話器において、音声を装置に入力するマイクロフォンと、該マイクロフォンから入力された音声を記憶する記憶装置と、該記憶装置に記憶された音声を読み出し、該音声を呼び出し音として再生し、出力する出力手段とを具備したことを特徴とする携帯電話器。
【請求項２】
請求項１に記載の携帯電話器において、前記各手段の他に、該マイクロフォンから入力された音声を一時記憶する記憶手段と、一時記憶された音声を読み出して、圧縮処理を行う圧縮手段と、圧縮された音声を再度記憶する記憶装置と、記憶されている圧縮音声を取り出し、該音声を呼び出し音として再生し、出力する出力手段とを具備したことを特徴とする携帯電話器。
【請求項３】
請求項１または２に記載の携帯電話器において、前記各手段の他に、オーディオ機器とのインターフェイスとなるオーディオ入力端子と、該オーディオ入力端子に接続されたオーディオ機器からの音声信号を入力し、該音声信号を記憶する記憶装置と、記憶された音声信号を読み出して、該音声信号を呼び出し音として再生し、出力する手段とを具備したことを特徴とする携帯電話器。
【請求項４】
請求項１または２に記載の携帯電話器において、前記各手段の他に、イヤホンとマイクのいずれか一方を接続するイヤホンマイク端子と、該イヤホンマイク端子から入力された音声信号を記憶する記憶装置と、記憶された音声信号を呼び出し音として再生し、出力する手段とを具備したことを特徴とする携帯電話器。
【請求項５】
請求項１または２に記載の携帯電話器において、前記各手段の他に、シリアル通信のインターフェイスとなるシリアル通信インターフェイス端子と、該シリアル通信インターフェイス端子からの音声データを記憶する記憶装置と、記憶されている音声データをデコードして、デコードされたデータを呼び出し音として再生し、出力する手段とを具備したことを特徴とする携帯電話器。
【請求項６】
携帯電話の呼び出し音を登録しておく記憶装置、および該携帯電話からの要求により、記憶している呼び出し音のアップロードを行うインターフェイスを備えたセンター装置と、該センター装置からの呼び出し音をダウンロードするインターフェイス、ダウンロードされた呼び出し音を記憶して、格納する記憶手段、および記憶されている呼び出し音を再生して、出力する手段を備えた携帯電話器とからなることを特徴とする携帯電話システム。
【請求項７】
携帯電話の呼び出し音を登録しておく記憶装置、および該携帯電話からの要求により、記憶している呼び出し音のアップロードを行うインターフェイスを備えたセンター装置と、該センター装置からの呼び出し音をダウンロードするインターフェイス、電源が投入されると、自動的に該センター装置にアクセスし、呼び出し音をダウンロードする手段、ダウンロードされた呼び出し音を記憶して、格納する記憶手段、および記憶されている呼び出し音を再生して、出力する手段を備えた携帯電話器とからなることを特徴とする携帯電話システム。
【請求項８】
携帯電話の呼び出し音を登録しておく記憶装置、および該携帯電話からの要求により、記憶している呼び出し音のアップロードを行うインターフェイスを備えたセンター装置と、該センター装置からの呼び出し音をダウンロードするインターフェイス、電源が投入されると、自動的に該センター装置にアクセスし、呼び出し音をダウンロードする手段、呼び出し音をダウンロードしたときに、該呼び出し音を鳴動させる手段、ダウンロードされた呼び出し音を記憶して、格納する記憶手段、および記憶されている呼び出し音を再生して、出力する手段を備えた携帯電話器とからなることを特徴とする携帯電話システム。
【請求項９】
携帯電話の呼び出し音を登録しておく記憶装置、および該携帯電話からの要求により、記憶している呼び出し音のアップロードを行うインターフェイスを備えたセンター装置と、該センター装置からの呼び出し音をダウンロードするインターフェイス、電源が投入されると、自動的に該センター装置にアクセスし、呼び出し音をダウンロードする手段、ダウンロードする音声データをランダムに選択する手段、呼び出し音をダウンロードしたときに、該呼び出し音を鳴動させる手段、ダウンロードされた呼び出し音を記憶して、格納する記憶手段、および記憶されている呼び出し音を再生して、出力する手段を備えた携帯電話器とからなることを特徴とする携帯電話システム。
【発明の詳細な説明】
【技術分野】
【０００１】
本発明は、携帯電話器および携帯電話システムに関するものであり、詳細には同一ないし類似している携帯電話の呼び出し音を自由に設定することができるようにして、他人と自分の呼び出し音を明確に区別できるようにした携帯電話器およびそのシステムに関するものである。
【背景技術】
【０００２】
不特定多数の人が携帯電話器等から所望の情報を入手することが可能な装置としては、例えば特開平４−３５４４５８号公報（特許文献１）に記載されたものがある。これによれば、テープレコーダやハードディスクに情報を格納した情報提供センタを配置し、このセンタから情報の概要や情報に対応したコードを記載した情報誌を発行する。利用者は、ファクシミリを用いて電話網を介しセンタを呼び出し、所望の情報に対応するコードとファクシミリ番号を送出することにより、センタからコードに対応した情報をファクシミリで返送する。
この装置では、予め入手したい情報の概要を知っている必要があり、情報に対応したコードを調査しておく必要があり、面倒であった。
また、不特定多数の人が有する携帯電話器等に対して保留時にミュージック等を聴かせる装置としては、例えば特開平２−１６８５０号公報（特許文献２）に記載されたものがある。これによれば、電話器に保留時に送出するための２つ以上の音楽発生部を備えておき、相手側からダイヤリングにより呼び出された場合、直ちに本人が受話器に出ないために保留キーが押下された際には、音楽発生部からの音楽を選択制御回路により１つを選択して相手側に送出する。
この装置では、２以上の音楽信号を切り替えて、それを保留音として相手側に送出するが、音楽信号を変更できないという問題がある。
このように、不特定多数の人が有する携帯電話器を用いて、所望の情報を取得したり、これらの携帯電話器に対して音楽等を送出することができる等、携帯電話器によって利便性を得ていたが、それぞれ問題も生じていた。
【０００３】
【特許文献１】特開平４−３５４４５８号公報
【特許文献２】特開平２−１６８５０号公報
【発明の開示】
【発明が解決しようとする課題】
【０００４】
（１）従来の携帯電話器の呼び出し音は、予め登録されているパターンの音声を使用しているため、自分の携帯電話器の呼び出し音と、周囲の人の携帯電話器の呼び出し音とが同一ないし酷似している場合が多く、区別がつき難いという問題があった。
また、（２）携帯電話器の呼び出し音は、マイクロフォンの音声をそのままメモリに記憶していたため、多くのメモリ容量を必要としていた。
さらに、（３）携帯電話器の呼び出し音は、マイクロフォンから音声を入力していたため、音質があまり良くないという問題もあった。
さらに、（４）携帯電話器の呼び出し音は、マイクロフォンからの音声を用いるだけで、利用できるデータの選択の幅が狭いという問題があった。
さらに、（５）携帯電話器の呼び出し音は、マイクロフォンや音声入力インターフェイスを介して音声を入力しているため、利用者は音声を自分で用意し、作成しなければならなかった。
さらに、（６）携帯電話器の呼び出し音は、音声データを携帯電話器内蔵の不揮発性メモリに格納していたが、不揮発性メモリは大型であるため、装置の小型化、コストダウンが困難となっていた。
さらに、（７）携帯電話器の呼び出し音を、センター装置からダウンロードする場合、利用者がどの呼び出し音が設定されたのか、また正しくダウンロードされたか等を確認することができなかった。
さらに、（８）携帯電話器の呼び出し音を、センター装置からダウンロードする場合、利用者が設定を変えない限り、呼び出し音は変化しないため、毎回異なる呼び出し音を楽しむことは不可能であった。
【０００５】
そこで、本発明の第１の目的は、これら従来の課題を解決し、利用者が自由に登録できるようにして、他人の携帯電話の呼び出し音との判別が容易な携帯電話器および携帯電話システムを提供することにある。
また、本発明の第２の目的は、呼び出し音を多くの選択肢から選択して登録できるような携帯電話器および携帯電話システムを提供することにある。
また、本発明の第３の目的は、呼び出し音のデータを格納しておくためのメモリ容量を小さくして、装置のコストダウンを可能とした携帯電話器および携帯電話システムを提供することにある。
さらに、本発明の第４の目的は、通話の音声回路との共通化・小型化が可能な携帯電話器および携帯電話システムを提供することにある。
【課題を解決するための手段】
【０００６】
上記各目的を達成するため、本発明の携帯電話器は、（１）音声を装置に入力するマイクロフォン（図１のＭ）と、該マイクロフォンから入力された音声を記憶する記憶装置（同Ｂ５）と、該記憶装置に記憶された音声を読み出し、該音声を呼び出し音として再生し、出力する出力手段（同Ｂ１２，Ｓ）とを具備したことを特徴としている。また、
（２）前記各手段の他に、該マイクロフォンから入力された音声を一時記憶する記憶手段（図３のＢ５）と、一時記憶された音声を読み出して、圧縮処理を行う圧縮手段（同Ｂ８）と、圧縮された音声を再度記憶する記憶装置（同Ｂ５）と、記憶されている圧縮音声を取り出し、該音声を呼び出し音として再生し、出力する出力手段（同Ｂ８，Ｂ１２，Ｓ）とを具備したことも特徴としている。また、
（３）前記各手段の他に、オーディオ機器とのインターフェイスとなるオーディオ入力端子（図４のＡ）と、該オーディオ入力端子に接続されたオーディオ機器からの音声信号を入力し、該音声信号を記憶する記憶装置（同Ｂ５）と、記憶された音声信号を読み出して、該音声信号を呼び出し音として再生し、出力する手段（Ｂ１２，Ｓ）とを具備したことも特徴としている。また、
（４）前記各手段の他に、イヤホンとマイクのいずれか一方を接続するイヤホンマイク端子（図５のＥＭ）と、該イヤホンマイク端子から入力された音声信号を記憶する記憶装置（同Ｂ５）と、記憶された音声信号を呼び出し音として再生し、出力する手段（同Ｂ１２，Ｓ）とを具備したことも特徴としている。また、
（５）前記各手段の他に、シリアル通信のインターフェイスとなるシリアル通信インターフェイス端子（図６のＳ）と、該シリアル通信インターフェイス端子からの音声データを記憶する記憶装置（同Ｂ５）と、記憶されている音声データをデコードして、デコードされたデータを呼び出し音として再生し、出力する手段（同Ｂ１２，Ｓ）とを具備したことも特徴としている。また、
本発明の携帯電話システムは、（６）携帯電話の呼び出し音を登録しておく記憶装置（図７のＣ７）および該携帯電話からの要求により、記憶している呼び出し音のアップロードを行うインターフェイス（同Ｃ４）を備えたセンター装置と、該センター装置からの呼び出し音をダウンロードするインターフェイス（図１のＢ２）、ダウンロードされた呼び出し音を記憶して、格納する記憶手段（同Ｂ５）、および記憶されている呼び出し音を再生して、出力する手段（同Ｂ１２，Ｓ）を備えた携帯電話器とからなることを特徴としている。また、
（７）センター装置からの呼び出し音をダウンロードするインターフェイス（図１のＢ２）、電源が投入されると、自動的に該センター装置にアクセスし、呼び出し音をダウンロードする手段（同Ｂ２）、ダウンロードされた呼び出し音を記憶して、格納する記憶手段（同Ｂ５）、および記憶されている呼び出し音を再生して、出力する手段（同Ｂ１２，Ｓ）を備えた携帯電話器とからなることも特徴としている。さらに、
（８）該センター装置からの呼び出し音をダウンロードするインターフェイス、電源が投入されると、自動的に該センター装置にアクセスし、呼び出し音をダウンロードする手段、呼び出し音をダウンロードしたときに、該呼び出し音を鳴動させる手段、ダウンロードされた呼び出し音を記憶して、格納する記憶手段、および記憶されている呼び出し音を再生して、出力する手段を備えた携帯電話器とからなることも特徴としている。さらに、
（９）該センター装置からの呼び出し音をダウンロードするインターフェイス、電源が投入されると、自動的に該センター装置にアクセスし、呼び出し音をダウンロードする手段、ダウンロードする音声データをランダムに選択する手段、呼び出し音をダウンロードしたときに、該呼び出し音を鳴動させる手段、ダウンロードされた呼び出し音を記憶して、格納する記憶手段、および記憶されている呼び出し音を再生して、出力する手段を備えた携帯電話器とからなることも特徴としている。
【発明の効果】
【０００７】
以上説明したように、本発明によれば、利用者は携帯電話のマイクロフォンから入力した音声を記憶し、これを呼び出し音として用いるので、他人の携帯電話の呼び出し音との区別を容易につけることができ、判断を誤ることが無くなる。また、音声データを圧縮して記憶するので、必要なメモリ量を低減することができ、装置のコストダウンが図れる。また、一般のオーディオ機器、シリアル通信のインターフェイス、あるいはイヤホンマイクを備えているので、オーディオ機器の音声やパソコン等で作成・加工した音声をそのまま携帯電話の呼び出し音として使用できる。また、センター装置に登録された呼び出し音を手軽に利用でき、かつ電源オンで自動的に呼び出し音をダウンロードできるので、不揮発性メモリが不要となり、装置のコストダウンが図れる。さらに、ダウンロードされる呼び出し音がどの音に設定されたのかの確認、あるいは毎回ランダムに変わることによる期待感を得ることができる。
【発明を実施するための最良の形態】
【０００８】
以下、本発明の実施例を、図面により詳細に説明する。
図１は、本発明の第１の実施例を示す携帯電話器のブロック構成図である。本実施例の携帯電話器（ＴＥＬ）は、電話の動作を行う電話部回路Ｂ１、アンテナ（ＡＮＴ）に接続され、無線の変復調を行う無線部回路Ｂ２、表示装置を制御する表示部制御回路Ｂ３、携帯電話のキー（ボタン）の入力を判定するキー制御部回路Ｂ４、各種データの記憶部で、半導体記憶素子（ＲＯＭ，ＲＡＭ）により構成される記憶装置Ｂ５、呼び出し音等の鳴音、発光素子等の制御を行う鳴音／発光部回路Ｂ６および中央演算装置（ＣＰＵ）Ｂ７から構成されている。
電話部回路Ｂ１には、音声入力Ｂ１１、音声出力Ｂ１２の回路および電話回線の接続等に必要なハードウェアが備えられている。音声入力Ｂ１１にはマイクＭが接続され、音声出力Ｂ１２にはスピーカーＳが接続されている。無線部回路Ｂ２は、アナログまたはディジタルの携帯電話の規格に従って、アンテナを介して電波の送受信を行う。表示部制御回路Ｂ３には、液晶表示装置（ＬＣＤ）等の表示装置が接続される。キー制御部回路Ｂ４には、各キーＫが接続されており、キー押下による信号をキー制御部回路Ｂ４で入力内容の判定を行う。鳴音／発光部回路Ｂ６は、呼び出し音等の鳴音、発光素子等の制御を行う。これらの各モジュールは、記憶装置Ｂ５に格納されたプログラムをＣＰＵ・Ｂ７で実行することにより動作・制御される。
【０００９】
図２は、本発明において、利用者が呼び出し音を登録する方法の動作例を示すフローチャートである。
最初は通常モードの状態にあり（ステップＳ１）、利用者が登録キーを操作することにより（ステップＳ２）、＊キーまたは１キーが押下されて（ステップＳ３）、呼び出し音登録モードに移る（ステップＳ４）。利用者は音声をマイクロフォンから入力する（ステップＳ５）とともに、登録のキー（＃キー）を押下することにより（ステップＳ６）、呼び出し音の登録が完了する（ステップＳ７）。
登録キー以外のキーが押下されたときには（ステップＳ８）、その他のモードになる（ステップＳ９）。
このように、第１の実施例においては、利用者が携帯電話器のマイクロフォンから入力した音声を記憶し、これを呼び出し音として用いることにより、自分だけのオリジナルの呼び出し音を作成することができ、他人の携帯電話器の呼び出し音との区別を容易につけることができる。従って、自分にかかってきた電話であるか否かを誤ることなく判断でき、携帯電話器の利便性が向上する。
【００１０】
図３は、本発明の第２の実施例を示す携帯電話器のブロック構成図である。
図３では、図１の構成に加えて、音声圧縮／復元回路Ｂ８が追加されている。
音声圧縮／復元回路Ｂ８は、音声入力回路Ｂ１１から入力された音声を圧縮する機能と、音声を復元して音声出力回路Ｂ１２に出力する機能とを有している。なお、圧縮／復元に必要な一時記憶装置（ＲＡＭ）を内蔵してもよい。また、音声の圧縮／復元の方法としては、図のような専用ハードウェアにより行う他に、ソフトウェアにより行ってもよい。圧縮／復元の方法は、ディジタル方式の場合であれば、ＡＤＰＣＭ（Ａｄａｐｔｉｖｅ Ｄｉｆｆｅｒｅｎｔｉａｌ Ｐｕｌｓｅ Ｃｏｄｅ Ｍｏｄｕｌａｔｉｏｎ）等によって行われる。
本実施例の特徴的構成要素は、マイクロフォンＭからの音声を一時記憶する記憶装置Ｂ５と、一時記憶した音声を圧縮する音声圧縮／復元回路Ｂ８と、圧縮した音声を記憶する記憶装置Ｂ５と、圧縮して記憶されている音声を取り出し、これを復元する回路Ｂ８と、復元された音声を呼び出し音として再生する音声出力回路Ｂ１２とである。
この実施例によれば、音声データを圧縮して記憶するので、呼び出し音のデータを格納しておくために必要なメモリ量を低減することができるので、装置のコストダウンが可能となる。
【００１１】
図４は、本発明の第３の実施例を示す携帯電話器のブロック構成図である。
図４においては、図１の構成に加えて、オーディオ入力端子Ａが追加されている。オーディオ入力端子Ａからの信号は音声入力回路Ｂ１１に送られ、マイクロフォンＭからの音声と同じように処理される。すなわち、音声入力回路Ｂ１１からＣＰＵ・Ｂ７を介して記憶装置Ｂ５に格納される。また、図示省略されているが、図３の圧縮／復元回路を組み込むこともできる。
本実施例によれば、一般のオーディオ機器とのインターフェイスを備えているため、コンパクトディスク・テレビジョン等のオーディオ機器の音声を記憶して、そのまま携帯電話器の呼び出し音として使用することができる。そして、呼び出し音をよりクリアな音声で記憶させることができるとともに、オーディオ入力端子Ａからの信号を音声送出回路に接続することにより、オーディオデータを携帯電話を通じて送信することも可能になる。
【００１２】
図５は、本発明の第４の実施例を示す携帯電話器のブロック構成図である。
図５においては、図１の構成に加えて、イヤホンマイク端子ＥＭが追加されている。イヤホンマイク端子ＥＭからの入力信号は音声入力回路Ｂ１１に送られ、マイクロフォンＭからの音声と同じように処理される。音声出力回路Ｂ１２からの出力信号は、端子にイヤホンマイクが接続されている場合にはイヤホンに送られる。また、図示省略されているが、図３の圧縮／復元回路を組み込れることもできる。
本実施例によれば、イヤホンマイク端子からの音声を記憶することができるので、端子に接続したマイクロフォン、または他のオーディオ機器等の音源を携帯電話器の呼び出し音として利用できる。そして、イヤホンマイク端子ＥＭからの音声信号を記憶してこれを利用することにより、通話の音声回路との共通化・小型化を実現することができる。
【００１３】
図６は、本発明の第５の実施例を示す携帯電話器のブロック構成図である。
図６においては、図１の構成に加えて、シリアル通信インターフェイスＳが追加されている。シリアル通信インターフェイスＳからのディジタル化された音声信号は、ＣＰＵ・Ｂ７を介して記憶装置Ｂ５に送られる。音声データは、符号化されている方式に従ってデコードされ、音声に変換される。符号化の方式は、例えばＷＡＶＥ方式である。
本実施例によれば、シリアル通信インターフェイスを備えているので、パーソナルコンピュータ等で作成・加工された音声データを携帯電話器の記憶装置にダウンロードして、これを呼び出し音として使用することができる。これにより、利用できるデータの選択幅を広げることができる。
【００１４】
図７は、本発明の第６の実施例を示す携帯電話システムのブロック構成図である。
携帯電話器ＴＥＬと基地局相互間は、無線データを電波で授受する。基地局は、公衆電話網を介してセンター装置に接続されている。
センター装置は、テープレコーダＣ１、ハードディスクＣ２、ＣＤ−ＲＯＭドライブＣ３、電話部回路Ｃ４、記憶装置Ｃ７およびＣＰＵ・Ｃ６から構成される。
テープレコーダＣ１、ハードディスクＣ２、ＣＤ−ＲＯＭドライブＣ３等の記憶装置には、アナログまたはディジタル化された呼び出し音用データ、音声ガイダンスデータ等が記憶されている。記憶されている音声データは、利用者がアクセスし易いように、カテゴリ別にテーブルに整理されている。これらの音声データは、携帯電話器からの要求により適宜取り出され、必要によりディジタル−アナログ変換、あるいはアナログ−ディジタル変換されて、電話部回路Ｃ４から公衆電話網に送出される。これらのモジュールはＣＰＵ・Ｃ６により制御され、その動作は記憶装置Ｃ７に格納されたプログラムをＣＰＵが実行することにより行われる。
このように、本実施例においては、センター装置に、電話の呼び出し音を記憶しておく記憶装置Ｃ７と、携帯電話器からの要求により、呼び出し音のアップロードを行うインターフェイス（電話部回路）Ｃ４とを備え、一方の携帯電話器には、センター装置から呼び出し音をダウンロードするインターフェイスと、ダウンロードした呼び出し音を記憶し、格納する（ＥＥＰＲＯＭ）と、記憶されている呼び出し音を再生する部分とを備える。
これにより、利用者は、センター装置にアクセスして登録されている呼び出し音を手軽に利用することができるので、自分で音声を作成する手間が省略され、手軽に呼び出し音を切り替えて使用することができる。また、手軽に呼び出し音をセンター装置に登録することができる。
【００１５】
図８は、本発明において、利用者が呼び出し音用の音声データをダウンロードする例を示すフローチャートである。
最初は通常モードの状態にあり（ステップＳ１）、登録キーの押下（ステップＳ２）に続いて、＊キーと１キーを押下すれば（ステップＳ３）呼び出し音登録モードになる（ステップＳ４）。この場合には、音声を入力して（ステップＳ５）、＃キーを操作することにより（ステップＳ６）、呼び出し音の登録が完了する（ステップＳ７）。
一方、センター装置から音声データをダウンロードする場合、＊キーと２キーを押下すれば（ステップＳ１０）、自動的にセンター装置にアクセスし、音声のダウンロードの状態に移る（ステップＳ１１）。また、予めセンター装置に電話を掛けてこの操作を行ってもよい。次に、利用者はセンター装置からの音声ガイダンスに従って電話のキー操作を行い、所望の呼び出し音用音声をダウンロードする（ステップＳ１２）。ダウンロードが完了したならば、所定のキー操作を行い（＃キー押下）（ステップＳ１３）、ダウンロードを終了する。また、正常にダウンロードされたときには、自動的に登録が完了する（ステップＳ１４）。
通常モード状態で、その他のキーを押下すれば（ステップＳ８）、その他のモード状態となる（ステップＳ９）。
【００１６】
図９は、本発明の第７の実施例を示す携帯電話システムの立ち上り動作のフローチャートである。
先ず、電源キーが押下されると（ステップＳ２）、自動的にセンター装置にアクセスして、音声データをダウンロードする（ステップＳ３）。その方法として、携帯電話器は前回電源がオフされたときに登録されていた呼び出し音のセンター装置上での管理番号を記憶しておく。ステップＳ３の処理では、携帯電話器がこの管理番号をセンター装置に送出し、センター装置がこの番号に対応する音声データを携帯電話器に送信することにより行う。
すなわち、本実施例の構成要素としては、センター装置に、電話の呼び出し音を記憶しておく記憶装置と、携帯電話器からの要求により、呼び出し音のアップロードを行うインターフェイスとを備えるとともに、携帯電話器には、センター装置から呼び出し音をダウンロードするインターフェイスと、ダウンロードした呼び出し音を記憶し、格納するＲＡＭと、記憶されている呼び出し音を再生する手段と、電源を入れたときに自動的にセンター装置にアクセスし、呼び出し音をダウンロードする手段とを備える。
これにより、電源を入れたときにセンター装置から自動的に呼び出し音データをダウンロードすることにより、呼び出し音データを不揮発性メモリに記憶しておく必要がなくなるので、装置のコストダウンが図れる。
【００１７】
図１０は、本発明における携帯電話器の立ち上り動作のフローチャートである。
図１０では、図９の処理ステップに加え、呼び出し音を鳴動させる処理（ステップＳ５）が追加される。すなわち、電源キーが押下されると（ステップＳ２）、センター装置に自動アクセスし、呼び出し音をダウンロードする（ステップＳ３）。次に、ダウンロードされた呼び出し音用音声データを自動的に鳴動させる（ステップＳ５）。そして、通常モードに戻る（ステップＳ４）。
これにより、電源を入れたときにセンター装置から自動的に呼び出し音データがダウンロードされ、その際に、呼び出し音を再生することにより、現在自分の携帯電話器の呼び出し音がどの音に設定されているかを確認することができる。また、正しくダウンロードされたかも確認することができる。
【００１８】
図１１は、本発明の第９の実施例を示す携帯電話器の立ち上り動作のフローチャートである。
図１１では、図９のステップＳ３の変わりに、ステップＳ６の処理が追加されている。ステップＳ６では、ダウンロードするセンター装置上での管理番号をランダムに選択し、音声データのダウンロードを行う。
これにより、ダウンロードされる音声データが、電源投入時に毎回ランダムに設定されるため、どのような音声がダウンロードされるか期待する楽しみがある。
【図面の簡単な説明】
【００１９】
【図１】本発明の第１の実施例を示す携帯電話器のブロック構成図である。
【図２】図１において、利用者が呼び出し音を登録する方法のフローチャートである。
【図３】本発明の第２の実施例を示す携帯電話器のブロック構成図である。
【図４】本発明の第３の実施例を示す携帯電話器のブロック構成図である。
【図５】本発明の第４の実施例を示す携帯電話器のブロック構成図である。
【図６】本発明の第５の実施例を示す携帯電話器のブロック構成図である。
【図７】本発明の第６の実施例を示す携帯電話システムのブロック構成図である。
【図８】図７において、利用者が呼び出し音用の音声データをダウンロードする例を示すフローチャートである。
【図９】本発明の第７の実施例を示す携帯電話の立ち上り動作のフローチャートである。
【図１０】本発明の第８の実施例を示す携帯電話の立ち上り動作のフローチャートである。
【図１１】本発明の第９の実施例を示す携帯電話の立ち上り動作のフローチャートである。
【符号の説明】
【００２０】
Ｂ１…電話部回路、Ｂ２…無線部回路、Ｂ３…表示部制御回路、Ｂ４…キー制御部回路、Ｂ５…記憶装置、Ｂ６…鳴音／発光部回路、Ｂ７…ＣＰＵ、Ｍ…マイク、Ｓ…スピーカー、ＡＮＴ…アンテナ、Ｌ…液晶表示装置、Ｋ…キー、Ｂ１１…音声入力回路、Ｂ１２…音声出力回路、
Ｂ８…音声圧縮／復元回路、Ａ…オーディオ入力端子、ＥＭ…イヤホンマイク端子、Ｓ…シリアルインターフェイス、Ｃ１…テープレコーダ、Ｃ２…ハードディスク、Ｃ３…ＣＤ−ＲＯＭドライブ、
Ｃ４…電話部回路、Ｃ４１…音声入力回路、Ｃ４２…音声出力回路、Ｃ６…ＣＰＵ、Ｃ７…記憶装置、ＴＥＬ…携帯電話器。
【図１】
2005117698.tif 000003
【図２】
2005117698.tif 000004
【図３】
2005117698.tif 000005
【図４】
2005117698.tif 000006
【図５】
2005117698.tif 000007
【図６】
2005117698.tif 000008
【図７】
2005117698.tif 000009
【図８】
2005117698.tif 000010
【図９】
2005117698.tif 000011
【図１０】
2005117698.tif 000012
【図１１】
2005117698.tif 000013
【手続補正書】
【提出日】平成17年2月25日(2005.2.25)
【手続補正２】
【補正対象書類名】特許請求の範囲
【補正対象項目名】全文
【補正方法】変更
【補正の内容】
【特許請求の範囲】
【請求項１】
キー入力を判定するキー制御部と、
記憶されている呼び出し音データを再生出力しユーザに着信通知を行うための出力部と、
表示部の制御を行う表示制御部と、
を備えた電話器において、
ディジタル化された呼び出し音データを入力するためのシリアル通信インターフェイス部と、
前記シリアル通信インターフェイス部を介してパーソナルコンピュータからダウンロードした着信通知のための呼び出し音データを記憶する記憶部とを備え、
前記記憶部に記憶されたダウンロードされた呼び出し音データを読み出し、前記出力部により呼び出し音として再生出力させることを特徴とする電話器。
【請求項２】
請求項１に記載の電話器において、
前記パーソナルコンピュータからダウンロードした呼び出し音データは、ＷＡＶＥ方式で符号化されたものであることを特徴とする電話器。
【請求項３】
請求項１または２に記載の電話器において、
前記呼び出し音データは、音声データであることを特徴とする電話器。
【請求項４】
請求項１から３のいずれか１項に記載の電話器は、携帯電話器であることを特徴とする電話器。
【手続補正３】
【補正対象書類名】明細書
【補正対象項目名】０００１
【補正方法】変更
【補正の内容】
【０００１】
本発明は、電話器に関するものであり、詳細には同一ないし類似している電話の呼び出し音を自由に設定することができるようにして、他人と自分の呼び出し音を明確に区別できるようにした電話器に関するものである。
【手続補正４】
【補正対象書類名】明細書
【補正対象項目名】０００４
【補正方法】変更
【補正の内容】
【０００４】
（１）従来の携帯電話器の呼び出し音は、予め登録されているパターンの音声を使用しているため、自分の携帯電話器の呼び出し音と、周囲の人の携帯電話器の呼び出し音とが同一ないし酷似している場合が多く、区別がつき難いという問題があった。
【手続補正５】
【補正対象書類名】明細書
【補正対象項目名】０００５
【補正方法】変更
【補正の内容】
【０００５】
そこで、本発明の目的は、これら従来の課題を解決し、利用者が自由に登録できるようにして、他人の電話の呼び出し音との判別が容易な電話器を提供することにある。
【手続補正６】
【補正対象書類名】明細書
【補正対象項目名】０００６
【補正方法】変更
【補正の内容】
【０００６】
上記各目的を達成するため、本発明は、
（１）キー入力を判定するキー制御部と、記憶されている呼び出し音データを再生出力しユーザに着信通知を行うための出力部と、表示部の制御を行う表示制御部とを備えた電話器において、ディジタル化された呼び出し音データを入力するためのシリアル通信インターフェイス部と、前記シリアル通信インターフェイス部を介してパーソナルコンピュータからダウンロードした着信通知のための呼び出し音データを記憶する記憶部とを備え、前記記憶部に記憶されたダウンロードされた呼び出し音データを読み出し、前記出力部により呼び出し音として再生出力させることを特徴としている。また、
（２）前記パーソナルコンピュータからダウンロードした呼び出し音データは、ＷＡＶＥ方式で符号化されたものであることも特徴としている。また、
（３）前記呼び出し音データは、音声データであることも特徴としている。また、
（４）上記電話器は、携帯電話器であることも特徴としている。
【手続補正７】
【補正対象書類名】明細書
【補正対象項目名】０００７
【補正方法】変更
【補正の内容】
【０００７】
以上説明したように、本発明によれば、利用者はシリアル通信インタフェース部を介してパーソナルコンピュータからダウンロードした着信通知のための呼び出し音データを記憶し、これを呼び出し音として用いるので、他人の電話の呼び出し音との判別を容易にすることができる。